(57)【要約】【課題】電力の使用状況の従業員個人への把握を容易にすることを目的としている。【解決手段】電子機器と、前記電子機器を含む電子機器群が接続されたサーバと、を有する電力表示システムであって、前記電子機器群による消費電力を集計し、前記消費電力の目標値に対する集計結果の値の割合を算出する算出部と、前記割合に応じた表示態様で、電力の使用状況を示す表示部品を前記電子機器の有する表示領域に表示させる表示制御部と、を有する。【選択図】図１
2016051239.tif 000002
【特許請求の範囲】
【請求項１】
電子機器と、前記電子機器を含む電子機器群が接続されたサーバと、を有する電力表示システムであって、
前記電子機器群による消費電力を集計し、前記消費電力の目標値に対する集計結果の値の割合を算出する算出部と、
前記割合に応じた表示態様で、電力の使用状況を示す表示部品を前記電子機器の有する表示領域に表示させる表示制御部と、を有する電力表示システム。
【請求項２】
前記割合と、前記表示部品と、前記表示部品の表示態様とを対応付けた使用状況情報が格納された使用状況テーブルを参照し、前記算出部により算出された割合に対応する使用状況情報を抽出する使用状況抽出部を有し、
前記表示制御部は、
前記使用状況抽出部により抽出された前記使用状況情報に基づき、前記表示部品を表示させる請求項１記載の電力表示システム。
【請求項３】
前記使用状況情報は、
前記割合と対応した使用状況を示すステータスと、前記表示部品を構成する複数の部品要素と、前記複数の部品要素の表示位置と、前記複数の部品要素の表示サイズと、前記表示部品の表示態様と、を含む請求項２記載の電力表示システム。
【請求項４】
前記電子機器において、選択された機能の種別を判別する機能判別部と、
前記ステータスと前記表示部品の前記表示態様とが対応付けられた表示制御テーブルが、前記電子機器の機能毎に格納された記憶部から、前記選択された機能と対応した前記表示制御テーブルを取得する表示制御テーブル取得部と、を有し、
前記表示制御部は、
前記表示制御テーブルにおいて、前記ステータスと対応付けられた前記表示態様で、前記表示部品を表示させる請求項３記載の電力表示システム。
【請求項５】
前記電子機器は、画像処理装置であり、
前記表示領域は、前記画像処理装置の有する表示操作装置である請求項１乃至４の何れか一項に記載の電力表示システム。
【請求項６】
前記表示部品を構成する前記複数の部品要素は、
前記ステータスを示す画像データと、前記割合を示す画像データと、前記ステータスに対応したメッセージを示す画像データとを含む請求項３乃至５の何れか一項に記載の電力表示システム。
【請求項７】
当該画像処理装置を含む電子機器群の消費電力を集計するサーバと接続された画像処理装置であって、
前記消費電力の目標値に対する前記サーバによる集計結果の値の割合と、電力の使用状況を示す表示部品と、前記表示部品の表示態様とを対応付けた使用状況情報を取得する使用状況情報取得部と、
前記使用状況情報に含まれる表示態様で、前記表示部品を当該画像処理装置の有する表示領域に表示させる表示制御部と、を有する画像処理装置。
【請求項８】
当該画像処理装置を含む電子機器群の消費電力を集計するサーバと接続された画像処理装置による表示制御プログラムであって、前記画像処理装置に、
前記消費電力の目標値に対する前記サーバによる集計結果の値の割合と、電力の使用状況を示す表示部品と、前記表示部品の表示態様とを対応付けた使用状況情報を取得するステップと、
前記使用状況情報に含まれる表示態様で、前記表示部品を前記画像処理装置の有する表示領域に表示させるステップと、を実行させる表示制御プログラム。
【請求項９】
電子機器と、前記電子機器を含む電子機器群が接続されたシステムにおける消費電力を提示するためのユーザインタフェースであって、
前記電子機器群に接続されたサーバによって集計された前記電子機器群による消費電力に基づく電力の使用状況を示す表示要素であって、
前記消費電力の目標値に対する集計結果の値の割合に応じた表示様態で表示される表示要素を備えるユーザインタフェース。
【発明の詳細な説明】
【技術分野】
【０００１】
本発明は、電力表示システム、画像処理装置、表示制御プログラム及びユーザインタフェースに関する。
【背景技術】
【０００２】
近年では、様々なＰＲ（Public Relations）や啓蒙により、消費電力の削減に対する意識が浸透しつつあり、一般家庭の日々の生活のみならず、業務を行う企業のオフィスや居室、公共施設、電車、バス等の交通機関においても消費電力の削減に対する取り組みが行われている。
【０００３】
その取り組みの一環として、例えばコンセント単位の電力を計測し、オフィスにおける個人レベルで消費電力を管理する技術が知られている。
【発明の概要】
【発明が解決しようとする課題】
【０００４】
例えば企業のオフィス等では、従業員個人で節電に取り組もうとしたときに、現在の電力の使用状況がどの程度であるか把握することが困難である。また、節電を意識していないユーザに対しても、現在の電力の使用状況を把握させることが困難であるため、節電への取り組みを促すことができない。また、従業員個人それぞれの業務用のＰＣ等に現在の電力の使用状況を表示させるようなシステムを導入する場合は導入コストが高くなるという問題もある。
【０００５】
そこで、開示の技術では、電力の使用状況の従業員個人への把握を容易にすることを目的としている。
【課題を解決するための手段】
【０００６】
開示の技術は、電子機器と、前記電子機器を含む電子機器群が接続されたサーバと、を有する電力表示システムであって、前記電子機器群による消費電力を集計し、前記消費電力の目標値に対する集計結果の値の割合を算出する算出部と、前記割合に応じた表示態様で、電力の使用状況を示す表示部品を前記電子機器の有する表示領域に表示させる表示制御部と、を有する。
【発明の効果】
【０００７】
電力の使用状況の従業員個人への把握を容易にすることができる。
【図面の簡単な説明】
【０００８】
【図１】電力表示システムのシステム構成の一例を示す図である。
【図２】電力監視サーバのハードウェア構成の一例を示す図である。
【図３】画像処理装置のハードウェア構成の一例を示す図である。
【図４】電力監視サーバの機能を説明する図である。
【図５】機器管理テーブルの一例を示す図である。
【図６】使用状況テーブルの一例を示す図である。
【図７】表示制御テーブルの一例を示す第一の図である。
【図８】表示制御テーブルの一例を示す第二の図である。
【図９】画像処理装置の機能を説明する図である。
【図１０】第一の実施形態の電力表示システムの動作を説明するシーケンス図である。
【図１１】第一の実施形態の画像処理装置の動作を説明するフローチャートである。
【図１２】画像処理装置に表示される待機画面の一例を示す第一の図である。
【図１３】画像処理装置に表示される待機画面の一例を示す第二の図である。
【図１４】画像処理装置に表示される待機画面の一例を示す第三の図である。
【図１５】画像処理装置に表示される待機画面の一例を示す第四の図である。
【図１６】画像処理装置に表示されるコピー処理の操作画面の一例を示す第一の図である。
【図１７】画像処理装置に表示されるコピー処理の操作画面の一例を示す第二の図である。
【図１８】画像処理装置に表示されるコピー処理の操作画面の一例を示す第三の図である。
【図１９】画像処理装置に表示されるコピー処理の操作画面の一例を示す第四の図である。
【図２０】画像処理装置に表示されるスキャン処理の操作画面の一例を示す第一の図である。
【図２１】画像処理装置に表示されるスキャン処理の操作画面の一例を示す第二の図である。
【図２２】画像処理装置に表示されるスキャン処理の操作画面の一例を示す第三の図である。
【図２３】画像処理装置に表示されるスキャン処理の操作画面の一例を示す第四の図である。
【図２４】第二の実施形態の電力表示システムの動作を説明するシーケンス図である。
【図２５】第二の実施形態の画像処理装置の動作を説明するフローチャートである。
【図２６】電子機器がプロジェクタの場合の表示例を示す図である。
【図２７】電子機器が電子黒板の場合の表示例を示す図である。
【図２８】電子機器がテレビ会議システムにおける通信端末の場合の表示例を示す図である。
【発明を実施するための形態】
【０００９】
（第一の実施形態）
以下に図面を参照して第一の実施形態について説明する。図１は、電力表示システムのシステム構成の一例を示す図である。
【００１０】
本実施形態の電力表示システム１００は、電力監視サーバ２００と、電子機器群３０とを有し、電力監視サーバ２００と電子機器群３０とは、ネットワークを介して接続されている。
【００１１】
本実施形態の電子機器群３０は、例えば企業のオフィス等に配置された機器であり、オフィスに滞在する複数のユーザにより共有される電子機器を含む。本実施形態の電子機器群３０は、例えば１つのオフィス内に設けられた複数の電子機器とした。
【００１２】
本実施形態の電力表示システム１００において、電子機器群３０は、少なくとも複数のユーザに共有される画像処理装置３００を含む。また、本実施形態の電子機器群３０において、例えば電子機器３０１も画像処理装置であっても良い。また、電子機器３０２は、電話機等であっても良い。電子機器３０３は、空調装置等であっても良い。また、本実施形態の電子機器群３０には、例えば照明器具や個人で使用しているコンピュータ等が含まれても良い。さらに、電子機器群３０には、オフィスに滞在するユーザに共有されるプロジェクタや電子黒板、通信端末等が含まれても良い。
【００１３】
本実施形態の電力表示システム１００では、電力監視サーバ２００により、電子機器群３０による消費電力を監視する。
【００１４】
そして、画像処理装置３００において、操作パネル等の表示領域１に、オフィスにおける電子機器群３０による電力の使用状況を示すウィジェット２を表示させる。
【００１５】
尚、本実施形態におけるウィジェットとは、グラフィカルユーザインタフェースを構成する部品要素の集まりを示す。より具体的には、本実施形態におけるウィジェットとは、電力の使用状況を示す表示部品である。ウィジェットに含まれる部品要素の詳細は後述する。
【００１６】
本実施形態の電力監視サーバ２００は、機器管理データベース２１０、表示管理データベース２２０を有し、電力監視プログラム２３０がインストールされている。
【００１７】
本実施形態の電力監視サーバ２００は、機器管理データベース２１０を参照して電子機器群３０の消費電力を集計し、画像処理装置３００に、電力の使用状況を示す使用状況情報を提供する。使用状況情報には、ウィジェット２を構成する部品要素が含まれる。
【００１８】
また、本実施形態の電力監視サーバ２００は、表示管理データベース２２０を参照し、画像処理装置３００に、画像処理装置３００において実行される処理に応じたウィジェットの表示に関する情報を提供する。
【００１９】
本実施形態の画像処理装置３００は、表示制御プログラム３１０がインストールされており、電力監視サーバ２００から取得した使用状況情報２１２−ｎに応じて、表示領域１におけるウィジェット２の表示を制御する。尚、使用状況情報２１２−ｎにおける「ｎ」は、後述する表示パターンと対応する。
【００２０】
以上のように、本実施形態の電力表示システム１００では、電力監視サーバ２００によりオフィスの消費電力を監視し、画像処理装置３００に電力の使用状況を示すウィジェット２を表示させる。言い換えれば、本実施形態の電力表示システム１００では、消費電力目標値に対する消費電力集計値の割合に応じた表示態様で、画像処理装置３００の表示領域に表示部品を表示させる。
【００２１】
本実施形態では、この表示により、画像処理装置３００を使用する従業員個人に対し、電力の使用状況を容易に把握させることができる。したがって、例えば節電を意識していないユーザに対しても、節電への取り組みを促すことができる。
【００２２】
図２は、電力監視サーバのハードウェア構成の一例を示す図である。本実施形態の電力監視サーバ２００は、それぞれバスＢで相互に接続されている入力装置２１、出力装置２２、ドライブ装置２３、補助記憶装置２４、メモリ装置２５、演算処理装置２６及びインターフェース装置２７を有する。
【００２３】
入力装置２１は、例えばキーボードやマウス等であり、各種信号の入力に用いられる。出力装置２２は、例えばディスプレイ等であり、各種情報を出力に用いられる。
【００２４】
インターフェース装置２７、モデム、ＬＡＮカード等を含み、ネットワークに接続する為に用いられる。
【００２５】
電力監視プログラム２３０は、電力監視サーバ２００を制御する各種プログラムの少なくとも一部である。電力監視プログラム２３０は例えば記録媒体２８の配布やネットワークからのダウンロードなどによって提供される。電力監視プログラム２３０を記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２６】
また、電力監視プログラム２３０を記録した記録媒体２８がドライブ装置２３にセットされると、電力監視プログラム２３０は記録媒体２８からドライブ装置２３を介して補助記憶装置２４にインストールされる。ネットワークからダウンロードされた電力監視プログラム２３０は、インターフェース装置２７を介して補助記憶装置２４にインストールされる。
【００２７】
補助記憶装置２４は、インストールされた電力監視プログラム２３０を格納すると共に、必要なファイル、データ等を格納する。メモリ装置２５は、コンピュータの起動時に補助記憶装置２４から電力監視プログラム２３０を読み出して格納する。そして、演算処理装置２６はメモリ装置２５に格納された電力監視プログラム２３０に従って、後述するような各種処理を実現している。
【００２８】
図３は、画像処理装置のハードウェア構成の一例を示す図である。本実施形態の画像子より装置３００は、それぞれバスＢで相互に接続されているスキャン装置３１、プロッタ装置３２、ドライブ装置３３、補助記憶装置３４、メモリ装置３５、演算処理装置３６、インターフェース装置３７及び表示操作装置３８を有する。
【００２９】
スキャン装置３１は、印刷媒体に形成された画像を読み取って、画像データとするものであり、画像データの入力に用いられる。プロッタ装置３２は、画像データに基づく画像を印刷媒体上に形成して出力するために用いられ。
【００３０】
インターフェース装置３７、モデム、ＬＡＮカード等を含み、ネットワークに接続する為に用いられる。
【００３１】
表示操作装置３８は、例えばタッチパネル等であり、画像処理装置３００に対する操作の受け付けと、情報の表示を行う。
【００３２】
表示制御プログラム３１０は、画像処理装置３００を制御する各種プログラムの少なくとも一部である。表示制御プログラム３１０は例えば記録媒体３９の配布やネットワークからのダウンロードなどによって提供される。表示制御プログラム３１０を記録した記録媒体３９は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００３３】
また、表示制御プログラム３１０を記録した記録媒体３９がドライブ装置３３にセットされると、表示制御プログラム３１０は記録媒体３９からドライブ装置３３を介して補助記憶装置３４にインストールされる。ネットワークからダウンロードされた表示制御プログラム３１０は、インターフェース装置３７を介して補助記憶装置３４にインストールされる。
【００３４】
補助記憶装置３４は、インストールされた表示制御プログラム３１０を格納すると共に、必要なファイル、データ等を格納する。メモリ装置３５は、コンピュータの起動時に補助記憶装置３４から表示制御プログラム３１０を読み出して格納する。そして、演算処理装置３６はメモリ装置３５に格納された表示制御プログラム３１０に従って、後述するような各種処理を実現している。
【００３５】
次に、図４を参照して本実施形態の電力監視サーバ２００の機能について説明する。図４は、電力監視サーバの機能を説明する図である。
【００３６】
電力監視サーバ２００の機能の説明に先立ち、電力監視サーバ２００の有する各データベースについて説明する。
【００３７】
本実施形態の機器管理データベース２１０には、機器管理テーブル２１１と、使用状況テーブル２１２とが格納されている。
【００３８】
機器管理テーブル２１１は、電力監視サーバ２００に接続された電子機器群３０に含まれる電子機器を管理するためのテーブルである。使用状況テーブル２１２は、電子機器群３０に対して消費電力の使用状況を表示させるためのテーブルである。
【００３９】
図４に示す機器管理データベース２１０では、格納された使用状況テーブル２１２を１つとしたが、機器管理データベース２１０には、電子機器群３０に含まれる電子機器毎の使用状況テーブル２１２が格納されていることが好ましい。図４に示す使用状況テーブル２１２は、画像処理装置３００に消費電力の使用状況を表示させるためのものであり、画像処理装置３００に対応した使用状況テーブルである。
【００４０】
本実施形態の表示管理データベース２２０には、表示制御テーブル２２１−ｃ、表示制御テーブル２２１−ｓが格納されている。
【００４１】
表示制御テーブル２２１−ｃは、画像処理装置３００において実行される処理がコピー処理であった場合に対応するテーブルであり、画像処理装置３００でコピー処理を実行している際の電力の使用状況の表示に用いられる。
【００４２】
表示制御テーブル２２１−ｓは、画像処理装置３００において実行される処理がスキャン処理であった場合に対応するテーブルであり、画像処理装置３００でスキャン処理を実行している際の電力の使用状況の表示に用いられる。
【００４３】
尚、本実施形態では、表示管理データベース２２０には、表示制御テーブル２２１−ｃ、２２１−ｓのみが格納されているものとしたが、これに限定されない。表示管理データベース２２０には、画像処理装置３００で実行される各種処理に対応した表示制御テーブルが格納されていても良い。より具体的には、画像処理装置３００の有する各アプリケーションに対応した表示制御テーブルが格納されていても良い。言い換えれば、表示管理データベース２２０には、画像処理装置３００で実現される機能毎に、各機能に対応した表示部品の表示態様を示す表示制御テーブルが格納されていても良い。
【００４４】
また、以下の説明において、表示制御テーブル２２１−ｃと、表示制御テーブル２２１−ｓとを区別しない場合には、単に表示制御テーブル２２１と呼ぶ。
【００４５】
電力監視サーバ２００の有する各テーブルの詳細は後述する。
【００４６】
本実施形態の電力監視サーバ２００は、電力監視処理部２４０と、通信部２５０と、を有する。電力監視処理部２４０は、電力監視プログラム２３０が演算処理装置２６により実行されることで実現される処理部である。通信部２５０は、電力監視サーバ２００と外部装置との通信を実現させる処理部である。
【００４７】
本実施形態の電力監視処理部２４０は、消費電力集計部２４１、使用率算出部２４２、使用状況抽出部２４３、テーブル選択部２４４を有する。
【００４８】
以下に説明する消費電力集計部２４１、使用率算出部２４２、使用状況抽出部２４３の処理は、電力監視サーバ２００において所定時間毎に行われる。
【００４９】
本実施形態の消費電力集計部２４１は、電子機器群３０に含まれる各機器において消費される電力を集計し、機器管理データベース２１０に集計した消費電力の値を格納する。より具体的には、本実施形態の電力監視システム１００は、電子機器群３０の消費電力を集積するセンサ等を有しており、消費電力集計部２４１は、このセンサにより検出された電力を集計しても良い。
【００５０】
使用率算出部２４２は、機器管理テーブル２１１において予め設定された消費電力の目標値を参照し、目標値に対する消費電力集計部２４１により集計された消費電力の使用率を算出する。
【００５１】
使用状況抽出部２４３は、使用率算出部２４２により算出された使用率に基づき、使用状況テーブル２１２から使用状況情報を抽出する。本実施形態では、抽出された使用状況情報が画像処理装置３００へ送信される。
【００５２】
テーブル選択部２４４は、画像処理装置３００からの通知に基づき、表示管理データベース２２０内から画像処理装置３００へ送信する表示制御テーブルを選択する。
【００５３】
使用率算出部２４２、使用状況抽出部２４３、テーブル選択部２４４の処理の詳細は後述する。
【００５４】
次に、図５ないし図８を参照し、電力監視サーバ２００の有する各テーブルについて説明する。図５は、機器管理テーブルの一例を示す図である。
【００５５】
本実施形態の機器管理テーブル２１１は、情報の項目として、機器ナンバー、設置場所、消費電力目標値、日付／時間帯、消費電力集計値、使用率を有し、機器ナンバーにその他の項目が対応付けられている。
【００５６】
項目「機器ナンバー」の値は、電力監視サーバ２００に接続された電子機器を識別するための機器ナンバーを示す。項目「設置場所」の値は、電子機器が設置された場所を示す。項目「消費電力目標値」の値は、対応する時間帯における消費電力の目標値を示す。項目「日付／時間帯」の値は、日付において設定された時間帯を示す。本実施形態では、消費電力目標値が時間帯毎に設定されている。
【００５７】
項目「消費電力集計値」の値は、消費電力集計部２４１により集計される消費電力を示す。本実施形態では、消費電力集計部２４１により消費電力が集計される度に上書きされても良い。項目「使用率」の値は、消費電力目標値に対する消費電力集計値の割合を示す。本実施形態では、使用率算出部２４２により使用率が算出される度に上書きされても良い。
【００５８】
ここで、本実施形態における消費電力目標値について説明する。本実施形態の消費電力目標値は、例えば予め設定された時刻から、消費電力が集計されるまでの累積値の目標値である。
【００５９】
図５の例では、例えば画像処理装置３００の機器ナンバーは３００であり、１階の東側に設置されている。１階の東側において、ＹＹＹ年ＭＭ月ＤＤ日のＨ１時ＭＭ分ＳＳ秒からＹＹＹ年ＭＭ月ＤＤ日のＨ２時ＭＭ分ＳＳ秒までの時間帯の消費電力目標値は１２３４Ｗである。これに対して、この時間帯に集計された消費電力集計値は３００Ｗである。この場合、使用率は３０％となる。
【００６０】
次に、図６を参照して使用状況テーブル２１２について説明する。図６は、使用状況テーブルの一例を示す図である。
【００６１】
本実施形態において、使用状況テーブル２１２は、画像処理装置３００におれるウィジェット２の表示パターンを制御する際に参照される。
【００６２】
本実施形態の使用状況テーブル２１２は、情報の項目として、表示パターン、使用率範囲、表示アイテム、表示有無、部品要素を有し、表示パターンナンバーに他の項目が対応付けられている。本実施形態の以下の説明では、項目「表示パターン」の値と、その他の項目の値とが対応付けられた情報を使用状況情報と呼ぶ。
【００６３】
項目「表示パターン」の値は、ウィジェット２の表示パターンを識別する値である。項目「使用率範囲」は、使用率の範囲を示す。項目「表示アイテム」は、ウィジェット２の表示に関連する情報を示す。表示アイテムの詳細は後述する。
【００６４】
項目「表示有無」は、画像処理装置３００の状態に応じウィジェット２の表示の有無を示す。画像処理装置３００の状態とは、具体的には、例えば画像処理装置３００においてユーザの操作中であるか否か等を示す。項目「部品要素」の値は、ウィジェット２を構成する各部品要素の画像データである。
【００６５】
以下に、項目「表示アイテム」について説明する。項目「表示アイテム」は、さらに詳細な項目として、ウィジェットタイプ、ステータス、メッセージ、使用率表示サイズ、位置を有する。項目「ウィジェットタイプ」の値は、ウィジェットのタイプである。項目「ステータス」の値は、電力の使用率の状態を示す。項目「メッセージ」は、ステータスと対応して表示させるメッセージ（テキストデータ）である。
【００６６】
項目「使用率表示サイズ」の値は、使用率を示す数字と単位の表示サイズである。項目「表示位置」の値は、背景、ステータス、メッセージ、使用率のそれぞれの表示位置である。
【００６７】
以下に、図６に示す使用状況テーブル２１２において、表示パターン１と対応付けられた使用状況情報２１２−１について説明する。
【００６８】
使用状況情報２１２−１において、表示パターン１は、使用率範囲は０〜４０%である。図６において、使用率算出部２４２により算出された使用率がこの範囲内である場合、画像処理装置３００に表示されるウィジェット２のウィジェットタイプはＡとなる。
【００６９】
ウィジェットタイプＡでは、ステータスは良好であり、メッセージは「良好です。引き続き節電に心掛けて下さい。」であり、使用率の表示サイズは○○である。
【００７０】
また、ウィジェットの背景の表示位置は、「中央右」である。したがって、背景は、画像処理装置３００の表示領域における中央から右側となる。すなわち、ウィジェットタイプＡのウィジェットは、画像処理装置３００の表示領域における中央から右側に表示される。
【００７１】
また、ステータスの表示位置は、「中央右（内）」である。したがって、ステータスは、背景の内の中央から右側となる。尚、図６の例では、項目「表示位置」の値に、メッセージやステータスの表示の大きさが含まれても良い。ここでは、ステータスの表示の大きさは、「小」である。
【００７２】
同様に、メッセージの表示位置は、背景内の下方であり、表示の大きさは「小」である。使用率の表示位置は、背景内の中央から左側で、表示の大きさは「小」である。
【００７３】
また、表示パターン１では、画像処理装置３００の操作中は、ウィジェットは表示させず、画像処理装置３００が操作中でない場合にウィジェットタイプＡのウィジェットを表示させる。画像処理装置３００が操作中でない場合とは、例えば画像処理装置３００が待機状態であるときである。
【００７４】
また、ウィジェットタイプＡのウィジェットを構成する部品要素は、「背景Ａ」、「ステータスＡ」、「メッセージＡ」、「使用率Ａ」である。この４つの部品要素は、それぞれが画像データであり、ウィジェットタイプＡのウィジェットは、この４つの画像データを表示アイテムの各項目の値にしたがって表示させることにより生成される。
【００７５】
尚、以下の説明では、使用状況テーブル２１２において、表示パターン２と対応付けられた使用状況情報を使用状況情報２１２−２とし、表示パターン３と対応付けられた使用状況情報を使用状況情報２１２−３とし、表示パターン４と対応付けられた使用状況情報を使用状況情報２１２−４とした。
【００７６】
次に、図７を参照して本実施形態の表示管理データベース２２０に格納された表示制御テーブル２２１−ｃについて説明する。図７は、表示制御テーブルの一例を示す第一の図である。図７に示す表示制御テーブル２２１−ｃは、画像処理装置３００におけるコピー処理に対応したテーブルである。
【００７７】
本実施形態の表示制御テーブル２２１−ｃは、情報の項目として、表示パターン、使用率範囲、表示アイテム、部品要素、表示形態を有する。表示制御テーブル２２１の有する項目において、表示形態以外は、使用状況テーブル２１２の有する項目と同様である。項目「表示形態」の値は、部品要素の表示の形態を示す。以下の説明では、項目「表示パターン」の値と、他の項目の値とが対応付けられた情報を表示制御情報と呼ぶ。
【００７８】
図７の表示制御テーブル２２１−ｃにおいて、表示パターン１の使用率範囲は０〜４０％であり、ウィジェットタイプはＡ１である。
【００７９】
ウィジェットタイプＡ１では、ステータスは良好であり、メッセージは「良好です。引き続き節電に心掛けて下さい。」であり、使用率の表示サイズは××である。
【００８０】
また、ウィジェットタイプＡ１のウィジェットでは、背景は表示させない。また、ステータスの表示位置は、「上部  小」である。したがって、ステータスは、画像処理装置３００の表示領域の上部に小さく表示される。メッセージと使用率についても同様である。
【００８１】
また、ウィジェットタイプＡ１のウィジェットを構成する部品要素は、「ステータスＡ１」、「メッセージＡ１」、「使用率Ａ１」である。
【００８２】
また、ウィジェットタイプＡ１のウィジェットの表示形態の値が「流す」である。したがって、ウィジェットタイプＡ１のウィジェットは、「ステータスＡ１」、「メッセージＡ１」、「使用率Ａ１」のそれぞれの画像データを、表示領域の上部に流れるように表示させる。
【００８３】
次に、図８を参照し、本実施形態の表示制御テーブル２２１−ｓについて説明する。図８は、表示制御テーブルの一例を示す第二の図である。図８に示す表示制御テーブル２２１−ｓは、画像処理装置３００におけるスキャン処理に対応したテーブルである。
【００８４】
図８に示す表示制御テーブル２２１−ｓの有する情報の項目及び各項目の値は、図７で説明した表示制御テーブル２２１−ｃと同様であるから、説明を省略する。
【００８５】
次に、図９を参照して、本実施形態の画像処理装置３００の機能について説明する。図９は、画像処理装置の機能を説明する図である。
【００８６】
本実施形態の画像処理装置３００は、表示制御処理部３２０と、通信部３３０と、を有する。また、本実施形態の画像処理装置３００は、記憶領域３４０を有する。
【００８７】
本実施形態の表示制御処理部３２０は、表示制御プログラム３１０が演算処理装置３６により実行されることで実現される処理部である。通信部３３０は、画像処理装置３００と外部装置との通信を実現させる処理部である。本実施形態の記憶領域３４０は、例えばメモリ装置３５内に設けられている。
【００８８】
本実施形態の表示制御処理部３２０は、入力受付部３２１、使用状況情報取得部３２２、機能判別部３２３、表示制御テーブル取得部３２４、表示制御部３２５を有する。
【００８９】
入力受付部３２１は、画像処理装置３００における表示操作装置３８の操作による入力を受け付ける。また、入力受付部３２１は、表示操作装置３８に表示されたソフトキーの操作以外に、画像処理装置３００に設けられたハードキーの操作による入力を受け付ける。
【００９０】
使用状況情報取得部３２２は、電力監視サーバ２００から、使用状況情報２１２−ｎを取得し、記憶領域３４０へ格納する。
【００９１】
機能判別部３２３は、入力受付部３２１により受け付けた操作に応じて、画像処理装置３００で実行される処理の種類を判別する。より具体的には、機能判別部３２３は、入力受付部３２１により受け付けた操作に応じて、画像処理装置３００において実行対象として選択されたアプリケーション（機能）の種別を判別する。
【００９２】
表示制御テーブル取得部３２４は、機能判別部３２３において判別された処理と対応する表示制御テーブル２２１を電力監視サーバ２００から取得し、記憶領域３４０へ格納する。
【００９３】
表示制御部３２５は、記憶領域３４０に格納された表示制御テーブル２２１を参照し、表示操作装置３８における表示を制御する。
【００９４】
次に、図１０を参照して、電力表示システム１００における動作の概略について説明する。図１０は、第一の実施形態の電力表示システムの動作を説明するシーケンス図である。
【００９５】
本実施形態の電力表示システム１００において、電力監視サーバ２００は、消費電力集計部２４１により、前回の消費電力の集計から所定時間が経過したことを判定する（ステップＳ１０１）。本実施形態では、電力監視サーバ２００は、例えば３０分間隔で消費電力の集計を行っても良い。
【００９６】
続いて電力監視サーバ２００は、消費電力集計部２４１により、電力監視サーバ２００に接続された電子機器群３０による消費電力を集計する（ステップＳ１０２）。集計した消費電力は、集計を行った時間帯の消費電力集計値として、機器管理テーブル２１１に格納される。
【００９７】
続いて、電力監視サーバ２００は、使用率算出部２４２により、機器管理テーブル２１１を参照し、集計を行った時間帯の消費電力目標値を取得する。そして、使用率算出部２４２は、取得した消費電力目標値に対する消費電力集計値の割合を算出し、算出結果を使用率の値として機器管理テーブル２１１へ格納する（ステップＳ１０３）。
【００９８】
続いて、電力監視サーバ２００は、使用状況抽出部２４３により、使用状況テーブル２１２から、ステップＳ１０２で算出した使用率と対応する使用状況情報を抽出する（ステップＳ１０４）。具体的には、例えばステップＳ１０３で算出された使用率が３０パーセントであった場合、使用状況抽出部２４３は、使用状況テーブル２１２から、使用率範囲が０〜４０％である使用状況情報２１２−１を抽出する（図６参照）。
【００９９】
続いて電力監視サーバ２００は、通信部２５０により、抽出した使用状況情報を画像処理装置３００へ送信する（ステップＳ１０５）。画像処理装置３００は、通信部３３０が使用状況情報を受信すると、記憶領域３４０に使用状況情報を格納する（ステップＳ１０６）。
【０１００】
本実施形態の電力表示システム１００では、ステップＳ１０６までの処理を、所定時間毎に行う。また、本実施形態の電力表示システム１００では、画像処理装置３００において起動指示を受け付けたとき、ステップＳ１０７以降の処理を行う。
【０１０１】
尚、画像処理装置３００は、例えば画像処理装置３００の電源をオンとする操作を受け付けたときや、画像処理装置３００の動作モードを省電力モードから通常動作モードへ移行させる操作を受け付けたとき等に、起動指示を受け付けたものとする。
【０１０２】
画像処理装置３００は、使用状況情報に応じて表示操作装置３８の表示を行う（ステップＳ１０７）。続いて画像処理装置３００は、操作を受け付けると（ステップＳ１０８）、操作の種別を電力監視サーバ２００へ通知する（ステップＳ１０９）。
【０１０３】
電力監視サーバ２００は、テーブル選択部２４４により、表示管理データベース２２０を参照し、通知された処理の種別に対応した表示制御テーブル２２１を選択する（ステップＳ１１０）。続いて電力監視サーバ２００は、通信部２５０により、選択した表示制御テーブル２１２を画像処理装置３００へ送信する（ステップＳ１１１）。
【０１０４】
画像処理装置３００は、表示制御テーブル取得部３２４により、通信部３３０が受信した表示制御テーブル２１２を取得し、表示制御テーブル２１２に基づく表示操作装置３８の表示を制御する（ステップＳ１１２）。
【０１０５】
以下に、図１１を参照し、画像処理装置３００の動作について説明する。図１１は、第一の実施形態の画像処理装置の動作を説明するフローチャートである。
【０１０６】
本実施形態の画像処理装置３００は、入力受付部３２１により、起動指示を受け付けたか否かを判定する（ステップＳ１１０１）。ステップＳ１１０１において、起動指示を受け付けていない場合、画像処理装置３００は、起動指示を受け付けるまで待機する。
【０１０７】
ステップＳ１１０１において、起動指示を受け付けた場合、画像処理装置３００は、表示制御部３２５により、記憶領域３４０内の使用状況情報を参照し、表示操作装置３８の表示領域に、ウィジェットが重畳された待機画面を表示させる（ステップＳ１１０２）。より具体的には、表示制御部３２５は、使用状況情報に含まれる各部品要素を表示位置に従って表示させることで、ウィジェットを表示させる。本実施形態の待機画面の詳細は後述する。
【０１０８】
続いて画像処理装置３００は、入力受付部３２１により、待機画面においてアプリケーションの選択を受け付けたか否かを判定する（ステップＳ１１０３）。ステップＳ１１０３において、選択を受け付けない場合、画像処理装置３００は、ステップＳ１１０２へ戻り、ウィジェットが重畳された待機画面の表示を継続する。
【０１０９】
ステップＳ１１０３において、アプリケーションの選択を受け付けると、画像処理装置３００は、機能判別部３２３により、選択されたアプリケーションの種別を判別する（ステップＳ１１０４）。すなわち、機能判別部３２３は、画像処理装置３００において実行される処理の種別を判別する。
【０１１０】
続いて画像処理装置３００は、判別したアプリケーションの種別を電力監視サーバ２００へ通知する（ステップＳ１１０５）。そして、画像処理装置３００は、電力監視サーバ２００において、通知に基づき選択された表示制御テーブル２１２を取得し、記憶領域３４０へ格納する（ステップＳ１１０６）。
【０１１１】
続いて画像処理装置３００は、入力受付部３２１により、画像処理装置３００に設けられたスタートボタンが操作されたか否かを判定する（ステップＳ１１０７）。本実施形態のスタートボタンとは、画像処理装置３００において、表示操作装置３８とは別に設けられた操作部材であり、ハードキーである。本実施形態の画像処理装置３００では、スタートキーが操作されたとき、選択されたアプリケーションの処理の実行が開始されるものとした。
【０１１２】
ステップＳ１１０７において、スタートキーの操作を受け付けない場合、画像処理装置３００は、操作を受け付けるまで待機する。
【０１１３】
ステップＳ１１０７において、操作を受け付けた場合、画像処理装置３００は、表示制御部３２５により、アプリケーションによる処理が所定時間内に終了したか否かを判定する（ステップＳ１１０８）。
【０１１４】
ステップＳ１１０８において、処理が所定時間内に終了した場合、画像処理装置３００は、後述するステップＳ１１１２へ進む。本実施形態の所定時間とは、例えば３〜５秒の間であっても良い。
【０１１５】
ステップＳ１１０８において、処理が所定時間内に終了しない場合、画像処理装置３００は、表示制御部３２５により、表示制御テーブル２１２を参照し、使用状況情報に含まれるステータスと対応する表示制御情報を抽出する（ステップＳ１１０９）。続いて画像処理装置３００は、表示制御部３２５により、抽出した表示制御情報に基づくウィジェットを選択されたアプリケーションの操作画面に重畳させて表示させる（ステップＳ１１１０）。
【０１１６】
続いて画像処理装置３００は、表示制御部３２５により、アプリケーションの終了処理が開始されたか否かを判定する（ステップＳ１１１１）。ステップＳ１１１１において、終了処理が開始されていない場合、画像処理装置３０は、ステップＳ１１０９へ戻る。
【０１１７】
ステップＳ１１１１において、終了処理が開始された場合、画像処理装置３００は、表示制御部３２５によるウィジェットの表示を終了し、処理を終了する。
【０１１８】
尚、ステップＳ１１０８において、処理が所定時間内に終了した場合、表示制御部３２５は、アプリケーションの終了後にインフォメーション画面を表示させ、インフォメーション画面上に、使用状況情報に基づくウィジェットを表示させ（ステップＳ１１１３）、処理を終了する。
【０１１９】
以上のように、本実施形態の画像処理装置３００では、消費電力の使用状況情報に応じたウィジェットが重畳された待機画面において、アプリケーションが選択されると、このアプリケーションにより表示される画面においても、使用状況と対応付いた別のウィジェットが表示される。また、本実施形態では、例えば選択されたアプリケーションの実行に係る時間が短く、ウィジェットを表示させる時間としては不十分であった場合、アプリケーションの実行後に表示されるインフォメーション画面にウィジェットを重畳させて表示させる。尚、本実施形態では、アプリケーションの実行後に表示される画面をインフォメーション画面としたが、これに限定されない。本実施形態では、アプリケーションの実行後に表示される画面にウィジェットを重畳させれば良い。
【０１２０】
以下に、本実施形態の画像処理装置３００の表示操作装置３８に表示される各画面について説明する。
【０１２１】
図１２は、画像処理装置に表示される待機画面の一例を示す第一の図である。図１２に示す待機画面１２１は、画像処理装置３００が電力監視サーバ２００から取得した使用状況情報が、使用状況情報２１２−１（図６参照）であった場合の待機画面である。すなわち、図１２に示す待機画面１２１は、ステータスが「良好」の場合の待機画面である。
【０１２２】
本実施形態の待機画面１２１には、ウィジェットタイプＡのウィジェット１２２が重畳されて表示される。また、待機画面１２１には、画像処理装置３００において実行されるアプリケーションのアイコン１２３、１２４、１２５が表示される。アイコン１２３は、コピー処理を実現するアプリケーションのアイコンである。アイコン１２４は、スキャン処理を実現するアプリケーションのアイコンである。アイコン１２５は、ファクス処理を実現するアプリケーションのアイコンである。本実施形態の画像処理装置３００は、例えば待機画面１２１において、アイコン１２３が選択されたとき、アプリケーションの選択を受け付けたものとする。
【０１２３】
以上のように、本実施形態では、アプリケーションのアイコンが表示される待機画面１２１に、使用状況情報に基づくウィジェット１２２を重畳させる。したがって、本実施形態によれば、画像処理装置３００のユーザに電力の使用状況を把握させることができる。特に、本実施形態では、ユーザが電力の使用状況に関心を持っていない場合や、消費電力の削減を意識していない場合等でも、画像処理装置３００を使用することで電力の使用状況をユーザに提示でき、節電に対する取り組みを促すことができる。
【０１２４】
本実施形態のウィジェット１２２は、使用状況情報２１２−１に含まれる部品要素により構成される。図１２に示すウィジェット１２２は、部品要素１２２ａ、１２２ｂ、１２２ｃ、１２２ｄにより構成される。
【０１２５】
部品要素１２２ａは、「背景Ａ」の画像データであり、使用状況情報２１２−１に含まれる表示位置にしたがって、待機画面１２１の中央から右側に表示される。部品要素１２２ｂは、「ステータスＡ」の画像データであり、使用状況情報２１２−１に含まれる表示位置にしたがって、背景の中央から右側に表示される。尚、部品要素１２２ｂには、ステータスを示す表示（「良好」）と、使用率を示すメータとが含まれる。
【０１２６】
部品要素１２２ｃは、「使用率Ａ」の画像データであり、使用状況情報２１２−１に含まれる表示位置にしたがって、背景の中央から左側の中央に表示される。部品要素１２２ｄは、「メッセージＡ」の画像データであり、使用状況情報２１２−１に含まれる表示位置にしたがって、背景の下側に表示される。本実施形態のウィジェット１２２では、メッセージが流れるように表示されても良い。
【０１２７】
図１３は、画像処理装置に表示される待機画面の一例を示す第二の図である。図１３に示す待機画面１３１は、画像処理装置３００が電力監視サーバ２００から取得した使用状況情報が、使用状況情報２１２−３（図６参照）であった場合の待機画面である。すなわち、図１３に示す待機画面１３１は、ステータスが「注意」の場合の待機画面である。
【０１２８】
図１３の待機画面１３１には、ウィジェットタイプＣのウィジェット１３２が重畳されて表示される。また、待機画面１３１には、画像処理装置３００において実行されるアプリケーションのアイコン１２３、１２４、１２５が表示される。アイコン１２３〜１２５は、待機画面１２１に表示されるものと同様である。
【０１２９】
図１３におけるウィジェット１３２は、使用状況情報２１２−３に含まれる部品要素１３２ａ、１３２ｂ、１３２ｃ、１３２ｄにより構成される。
【０１３０】
部品要素１３２ａは、「背景Ｃ」の画像データであり、使用状況情報２１２−３に含まれる表示位置にしたがって、待機画面１３１の中央から右側に、部品要素１２２ａよりも大きく表示される。また、本実施形態の部品要素１３２ａとして表示される背景は、部品要素１２２ａとして表示される背景の色よりも濃い色であることが好ましい。
【０１３１】
部品要素１３２ｂは、「ステータスＣ」の画像データであり、使用状況情報２１２−３に含まれる表示位置にしたがって、背景の中央から右側に表示される。部品要素１３２ｃは、「使用率Ｃ」の画像データであり、使用状況情報２１２−３に含まれる表示位置にしたがって、背景の中央から左側の中央に表示される。部品要素１３２ｄは、「メッセージＣ」の画像データであり、使用状況情報２１２−３に含まれる表示位置にしたがって、背景の下側に表示される。
【０１３２】
図１３に示すウィジェット１３２では、部品要素１３２ａの表示サイズが、部品要素１２２ａの表示サイズよりも大きいため、背景内に表示される部品要素１３２ｂ〜１３２ｄの表示サイズも部品要素１２２ｂ〜１２２ｄの表示サイズよりも大きくなる。したがって、待機画面１３１では、画像処理装置３００のユーザに対し、節電が求められていることを強調することができる。
【０１３３】
図１４は、画像処理装置に表示される待機画面の一例を示す第三の図である。図１４に示す待機画面１４１は、画像処理装置３００が電力監視サーバ２００から取得した使用状況情報が、使用状況情報２１２−４（図６参照）であった場合の待機画面である。すなわち、図１４に示す待機画面１４１は、ステータスが「警告」の場合の待機画面である。
【０１３４】
図１４におけるウィジェット１４２は、使用状況情報２１２−４に含まれる部品要素１４２ａ、１４２ｂ、１４２ｃ、１４２ｄにより構成される。
【０１３５】
部品要素１４２ａは、「背景Ｄ」の画像データであり、使用状況情報２１２−４に含まれる表示位置にしたがって、待機画面１３１の中央に、部品要素１３２ａよりも大きく表示される。部品要素１４２ｂ〜１４２ｄも、使用状況情報２１２−４に含まれる表示位置にしたがって表示される。また、本実施形態の部品要素１４２ａとして表示される背景は、部品要素１２２ａとして表示される背景の色よりも濃い色であることが好ましい。また、本実施形態の部品要素１４２ａとして表示される背景は、部品要素１３２ａとして表示される背景の色よりもさらに濃い色であっても良い。
【０１３６】
図１４に示すウィジェット１４２では、部品要素１４２ａの表示サイズが、部品要素１３２ａの表示サイズよりもさらに大きいため、背景内に表示される部品要素１４２ｂ〜１４２ｄの表示サイズも部品要素１３２ｂ〜１３２ｄの表示サイズよりも大きくなる。したがって、待機画面１４１では、画像処理装置３００のユーザに対し、消費電力集計値が目標値を超過していることを警告できる。
【０１３７】
尚、図１４に示す待機画面１４１ではアプリケーションのアイコン１２３、１２４、１２５の上にウィジェット１４２が表示された状態を示している。
【０１３８】
本実施形態の画像処理装置３００は、例えば、ウィジェット１４２が待機画面１４１に表示されてから所定時間が経過した後に、ウィジェット１４２の表示サイズをウィジェット１２２又はウィジェット１３２と同様の大きさとしても良い。また、画像処理装置３００は、待機画面１４１を表示させてから所定時間が経過した後に、ウィジェット１４２の表示を終了しても良い。
【０１３９】
図１５は、画像処理装置に表示される待機画面の一例を示す第四の図である。図１５に示す待機画面１５１は、画像処理装置３００が電力監視サーバ２００から取得した使用状況情報が、使用状況情報２１２−３（図６参照）であった場合の待機画面の別の例である。
【０１４０】
図１５に示す待機画面１５１では、ウィジェット１５２を構成する部品要素１５２ａ〜１５２ｄの表示サイズを、待機画面１２１に表示されるウィジェット１２２を構成する部品要素１２２ｂ〜１２２ｄと同様にした例である。
【０１４１】
図１５の例では、部品要素１５２ａとして表示される背景は、部品要素１２２ａとして表示される背景の色よりも濃い色とした。
【０１４２】
次に、画像処理装置３００において、待機画面でアプリケーションの選択を受け付けた後の、アプリケーションの操作画面におけるウィジェットの表示について説明する。初めに、待機画面においてコピー処理を実現するアイコン１２３が選択された場合について説明する。
【０１４３】
図１６は、画像処理装置に表示されるコピー処理の操作画面の一例を示す第一の図である。
【０１４４】
図１６に示す操作画面１６１は、図１２に示す待機画面１２１において、アイコン１２３が選択された場合の操作画面の例である。すなわち、操作画面１６１は、使用状況情報２１２−１に含まれるステータスが「良好」の状態で表示された操作画面である。
【０１４５】
本実施形態では、待機画面１２１においてアイコン１２３が選択され、操作画面１６１において、コピー処理に関する各種設定の受け付けた後に、スタートキーが操作されると、ウィジェット１６２の表示が開始される。コピー処理に関する各種設定とは、例えば枚数、集約、両面印刷、片面印刷等の設定である。
【０１４６】
画像処理装置３００は、スタートキーが操作されると、選択されたアプリケーションの種別を電力監視サーバ２００へ通知する。電力監視サーバ２００は、この通知を受けて、表示管理データベース２２０から、コピー処理と対応する表示制御テーブル２２１−ｃを選択し、画像処理装置３００へ送信する。
【０１４７】
画像処理装置３００は、表示制御テーブル２２１−ｃから、項目「ステータス」の値が「良好」である表示制御情報を抽出し、抽出した表示制御情報にしたがってウィジェット１６２を表示させる（図７参照）。
【０１４８】
ここで抽出される表示制御情報は、表示パターン１の表示制御情報である。よって、図１６に示すウィジェット１６２は、表示パターン１の表示制御情報にしたがって表示されている。
【０１４９】
表示パターン１の表示制御情報によれば、ウィジェット１６２の部品要素「ステータスＡ１」と、「メッセージＡ１」と、「使用率Ａ１」であり、これらの表示位置は操作画面の上方である。また、ウィジェット１６２の表示形態は「流す」である。
【０１５０】
したがって、画像処理装置３００は、操作画面１６１において、その上方に、ステータスを示す部品要素１６２ｂ、使用率を示す部品要素１６２ｃ、メッセージを示すステータス１６２ｄを、表示形態にしたがって矢印Ｙ方向にスクロールさせる。
【０１５１】
本実施形態では、以上のように、スタートキーが操作されてから、ウィジェット１６２を操作画面１６１に表示させることで、コピー処理が終了するまでの間に、ユーザに対して電力の使用状況を通知することができ、電力の使用状況を把握させることができる。
【０１５２】
図１７は、画像処理装置に表示されるコピー処理の操作画面の一例を示す第二の図である。
【０１５３】
図１７に示す操作画面１７１は、図１３に示す待機画面１３１において、アイコン１２３が選択された場合の操作画面の例である。すなわち、操作画面１７１は、使用状況情報２１２−３に含まれるステータスが「注意」の状態で表示された操作画面である。
【０１５４】
画像処理装置３００は、表示制御テーブル２２１−ｃから、項目「ステータス」の値が「注意」である表示制御情報を抽出し、抽出した表示制御情報にしたがってウィジェット１７２を表示させる（図７参照）。
【０１５５】
ここで抽出される表示制御情報は、表示パターン３の表示制御情報である。よって、図１７に示すウィジェット１７２は、表示パターン３の表示制御情報にしたがって表示されている。
【０１５６】
表示パターン３の表示制御情報によれば、ウィジェット１７２の部品要素「ステータスＣ１」と、「メッセージＣ１」と、「使用率Ｃ１」であり、これらの表示位置は操作画面の上方である。また、ウィジェット１７２の表示形態は「点滅させながら流す」である。
【０１５７】
したがって、画像処理装置３００は、操作画面１７１において、その上方に、ステータスを示す部品要素１７２ｂ、使用率を示す部品要素１７２ｃ、メッセージを示すステータス１７２ｄを、表示形態にしたがって、点滅させながら矢印Ｙ方向にスクロールさせる。
【０１５８】
図１７に示すウィジェット１７２も、ウィジェット１６２と同様に、コピー処理が終了するまでの間、操作画面１７１に表示される。
【０１５９】
図１８は、画像処理装置に表示されるコピー処理の操作画面の一例を示す第三の図である。
【０１６０】
図１８に示す操作画面１８１は、図１４に示す待機画面１４１において、アイコン１２３が選択された場合の操作画面の例である。すなわち、操作画面１８１は、使用状況情報２１２−４に含まれるステータスが「警告」の状態で表示された操作画面である。
【０１６１】
画像処理装置３００は、表示制御テーブル２２１−ｃから、項目「ステータス」の値が「警告」である表示制御情報を抽出し、抽出した表示制御情報にしたがってウィジェット１７２を表示させる（図７参照）。
【０１６２】
ここで抽出される表示制御情報は、表示パターン４の表示制御情報である。よって、図１８に示すウィジェット１８２は、表示パターン４の表示制御情報にしたがって表示されている。
【０１６３】
表示パターン４の表示制御情報によれば、ウィジェット１８２の表示形態は、２種類存在する。１つは、ウィジェット１８２の部品要素をウィジェット１７２と同様に「点滅させながら流す」表示形態である。もう１つは、ウィジェット１８２の部品要素を、「コピー処理中にポップアップさせる」表示形態である。
【０１６４】
図１８では、１つ目の「点滅させながら流す」表示形態にしたがって、ウィジェット１８２が表示された例を示している。すなわち、図１８の操作画面１８１では、その上方に、ステータスを示す部品要素１８２ｂ、使用率を示す部品要素１８２ｃ、メッセージを示すステータス１８２ｄを、点滅させながら矢印Ｙ方向にスクロールさせる。
【０１６５】
図１９は、画像処理装置に表示されるコピー処理の操作画面の一例を示す第四の図である。図１９では、２つ目の「コピー処理中にポップアップさせる」表示形態にしたがって、操作画面１８１上にウィジェット１８２Ａが表示された例を示している。
【０１６６】
図１９において、ウィジェット１８２Ａは、ウィジェット１８２と同様の部品要素１８２ｂ〜１８２ｄにより構成される。
【０１６７】
本実施形態では、図１９に示すように、使用状況情報に含まれるステータスが「警告」である場合、コピー処理を実行している間に、ウィジェット１８２Ａを操作画面１８１の全面にポップアップ表示させる。本実施形態では、操作画面１８１の全面にポップアップによりウィジェット１８２Ａを表示させることで、画像処理装置３００のユーザが、コピー処理の終了を待つ間に、容易に電力の使用状況を把握させることができる。
【０１６８】
尚、本実施形態では、ポップアップとは、新しいウィンドウを自動的に開き、操作画面とは別のウィジェット１８２Ａを表示させることを示している。
【０１６９】
以上のように、本実施形態では、アプリケーションによる処理の実行中には、アプリケーションと対応した表示制御情報に基づきウィジェットを表示させることで、画像処理装置３００のユーザに電力の使用状況を把握させることができる。
【０１７０】
次に、待機画面においてスキャン処理を実現するアイコン１２４が選択された場合について説明する。
【０１７１】
図２０は、画像処理装置に表示されるスキャン処理の操作画面の一例を示す第一の図である。
【０１７２】
図２０に示す操作画面２０１は、図１２に示す待機画面１２１において、すなわち、使用状況情報２１２−１に含まれるステータスが「良好」の状態において、アイコン１２４が選択されたときに表示される操作画面である。
【０１７３】
画像処理装置３００は、スタートキーが操作されると、選択されたアプリケーションの種別を電力監視サーバ２００へ通知する。電力監視サーバ２００は、この通知を受けて、表示管理データベース２２０から、スキャン処理と対応する表示制御テーブル２２１−ｓを選択し、画像処理装置３００へ送信する。
【０１７４】
画像処理装置３００は、表示制御テーブル２２１−ｓから、項目「ステータス」の値が「良好」である表示制御情報を抽出し、抽出した表示制御情報にしたがってウィジェット２０２を表示させる（図８参照）。
【０１７５】
ここで抽出される表示制御情報は、表示パターン１の表示制御情報である。よって、図２０に示すウィジェット２０２は、表示パターン１の表示制御情報にしたがって表示されている。
【０１７６】
表示パターン１の表示制御情報によれば、ウィジェット２０２の部品要素「ステータスＡ２」と、「メッセージＡ２」と、「使用率Ａ２」であり、これらの表示位置は操作画面の上方である。また、ウィジェット２０２の表示形態は「流す」である。
【０１７７】
したがって、画像処理装置３００は、操作画面２０１において、その上方に、ステータスを示す部品要素２０２ｂ、使用率を示す部品要素２０２ｃ、メッセージを示すステータス２０２ｄを、表示形態にしたがって矢印Ｙ方向にスクロールさせる。
【０１７８】
図２１は、画像処理装置に表示されるスキャン処理の操作画面の一例を示す第二の図である。
【０１７９】
図２１に示す操作画面２０３は、図１３に示す待機画面１３１において、すなわち、使用状況情報２１２−３に含まれるステータスが「注意」の状態において、アイコン１２４が選択されたときに表示される操作画面である。
【０１８０】
画像処理装置３００は、表示制御テーブル２２１−ｓから、項目「ステータス」の値が「注意」である表示制御情報を抽出し、抽出した表示制御情報にしたがってウィジェット２０４を表示させる（図８参照）。
【０１８１】
ここで抽出される表示制御情報は、表示パターン３の表示制御情報である。よって、図２１に示すウィジェット２０４は、表示パターン３の表示制御情報にしたがって表示されている。
【０１８２】
表示パターン３の表示制御情報によれば、ウィジェット２０４の部品要素「ステータスＣ２」と、「メッセージＣ２」と、「使用率Ｃ２」であり、これらの表示位置は操作画面の上方である。また、ウィジェット２０４の表示形態は「点滅させながら流す」である。
【０１８３】
したがって、画像処理装置３００は、操作画面２０３において、その上方に、ステータスを示す部品要素２０４ｂ、使用率を示す部品要素２０４ｃ、メッセージを示すステータス２０４ｄを、表示形態にしたがって、点滅させながら矢印Ｙ方向にスクロールさせる。
【０１８４】
図２２は、画像処理装置に表示されるスキャン処理の操作画面の一例を示す第三の図である。
【０１８５】
図２２に示す操作画面２０５は、図１４に示す待機画面１４１において、すなわち、使用状況情報２１２−４に含まれるステータスが「警告」の状態において、アイコン１２４が選択されたときに表示される操作画面である。
【０１８６】
画像処理装置３００は、表示制御テーブル２２１−ｃから、項目「ステータス」の値が「警告」である表示制御情報を抽出し、抽出した表示制御情報にしたがってウィジェット２０６を表示させる（図７参照）。
【０１８７】
表示パターン４の表示制御情報によれば、ウィジェット２０６の表示形態は、２種類存在する。１つは、ウィジェット２０６の部品要素をウィジェット２０４と同様に「点滅させながら流す」表示形態である。もう１つは、ウィジェット２０６の部品要素を、「スキャン処理完了後にポップアップさせる」表示形態である。
【０１８８】
図２２では、１つ目の「点滅させながら流す」表示形態にしたがって、ウィジェット２０６が表示された例を示している。すなわち、図２２の操作画面２０６では、その上方に、ステータスを示す部品要素２０６ｂ、使用率を示す部品要素２０６ｃ、メッセージを示すステータス２０６ｄを、点滅させながら矢印Ｙ方向にスクロールさせる。
【０１８９】
図２３は、画像処理装置に表示されるスキャン処理の操作画面の一例を示す第四の図である。図２３では、２つ目の「スキャン処理完了後にポップアップさせる」表示形態にしたがって、操作画面２０５上にウィジェット２０６Ａが表示された例を示している。
【０１９０】
図２３において、ウィジェット２０６Ａは、ウィジェット２０６と同様の部品要素２０６ｂ〜２０６ｄにより構成される。
【０１９１】
以上のように、本実施形態では、使用状況情報に含まれるステータスが「警告」である場合、スキャン処理の完了後にウィジェット２０６Ａを操作画面２０５の全面にポップアップ表示させる。本実施形態では、この表示により、画像処理装置３００のユーザに容易に電力の使用状況を把握させることができる。
【０１９２】
また、本実施形態では、例えばスキャン処理において読み取る原稿の枚数が少ない等の理由から所定時間内に処理が終了した場合、スキャン処理完了後にインフォメーション画面に、使用状況情報に基づくウィジェットを表示させても良い。この場合のウィジェットは、例えば図２３のウィジェット２０６Ａと同様に、インフォメーション画面の全面にポップアップ表示させても良い。
【０１９３】
また、本実施形態では、例えば待機画面において選択されたアプリケーションによる処理の実行時間が所定時間以内に終了した場合、画像処理装置３００におけるユーザのログアウトの際に、使用状況情報に基づくウィジェットを表示させても良い。
【０１９４】
以上のように、本実施形態によれば、消費電力目標値に対する、電力監視サーバ２００により集計された消費電力集計値の割合に応じたウィジェットを、画像処理装置３００の表示操作装置３８に表示させる。したがって、本実施形態によれば、電力の使用状況をユーザに把握させることができる。
【０１９５】
また、本実施形態によれば、消費電力目標値に対する消費電力集計値の割合を、電力の使用状況を示すステータスとして示し、画像処理装置３００の動作毎に、表示領域においてステータスに応じたウィジェットを表示させる。例えば画像処理装置３００の動作が待機状態であった場合には、待機画面において、ステータスに応じたウィジェットを表示させる。また、例えば画像処理装置３００の動作が、コピー処理中であった場合には、コピー処理の操作画面に、ステータスに応じたウィジェットを表示させる。
【０１９６】
したがって、本実施形態によれば、ユーザが節電を意識しているか否かに関わらず、画像処理装置３００のユーザに対して消費電力の使用状況を提示することができ、節電に対する取り組みを促すことができる。
【０１９７】
（第二の実施形態）
以下に、図面を参照して第二の実施形態について説明する。第二の実施形態では、画像処理装置３００が電力監視サーバ２００から使用状況情報を取得するタイミングが第一の実施形態と相違する。したがって、以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１９８】
図２４は、第二の実施形態の電力表示システムの動作を説明するシーケンス図である。
【０１９９】
本実施形態では、画像処理装置３００は、起動されたときに電力監視サーバ２００へ使用状況情報２１２−ｎの取得要求を行う。電力監視サーバ２００は、取得要求を受けたときの使用状況情報２１２−ｎを画像処理装置３００へ送信する。
【０２００】
図２４におけるステップＳ２４０１からステップＳ２４０３までの処理は、図１０のステップＳ１００１からステップＳ１００３までの処理と同様であるから、説明を省略する。
【０２０１】
電力表示システム１００において、画像処理装置３００は、入力受付部３２１により起動指示を受け付けると（ステップＳ２４０４）、通信部３３０により、使用状況情報の取得要求を電力監視サーバ２００へ送信する（ステップＳ２４０５）。
【０２０２】
電力監視サーバ２００は、この取得要求を受けて、機器管理テーブル２１１と使用状況テーブル２１２を参照し、取得要求を受けた時間帯の電力の使用状況を示す使用状況情報２１２−ｎを、画像処理装置３００へ送信する（ステップＳ２４０６）。画像処理装置３００は、通信部３３０により、電力監視サーバ２００から使用状況情報２１２−ｎを受信し、記憶領域３４０へ格納する（ステップＳ２４０７）。
【０２０３】
図２４において、ステップＳ２４０７からステップＳ２４１３までの処理は、図１０のステップＳ１０６からステップＳ１１２までの処理と同様であるから、説明を省略する。
【０２０４】
図２５は、第二の実施形態の画像処理装置の動作を説明するフローチャートである。
【０２０５】
本実施形態の画像処理装置３００は、入力受付部３２１により、起動指示を受け付けたか否かを判定する（ステップＳ２５０１）。ステップＳ２５０１において、起動指示を受け付けていない場合、画像処理装置３００は、起動指示を受け付けるまで待機する。
【０２０６】
ステップＳ２５０１において、起動指示を受け付けた場合、画像処理装置３００は、使用状況情報取得部３２２により、使用状況情報２１２−ｎの取得要求を電力監視サーバ２００へ送信する（ステップＳ２５０２）。続いて画像処理装置３００は、電力監視サーバ２００から取得した使用状況情報２１２−ｎに応じたウィジェットを待機画面に重畳して表示させる（ステップＳ２５０３）。続いて画像処理装置３００は、入力受付部３２１により、アプリケーションの選択を受け付けたか否かを判定する（ステップＳ２５０４）。
【０２０７】
図２５において、ステップＳ２５０４からステップＳ２５１４までの処理は、ステップＳ２５１２においてアプリケーションの終了処理が開始されていない場合を除き、図１１のステップＳ１１０３からステップＳ１１１３までの処理と同様であるから、説明を省略する。
【０２０８】
ステップＳ２５１２において、選択されたアプリケーションの終了処理が開始されていない場合、画像処理装置３００は、ステップＳ１５１０に戻り、表示制御情報に基づくウィジェットの表示を維持する。
【０２０９】
以上のように、本実施形態では、画像処理装置３００の起動のタイミングに応じて、電力監視サーバ２００から使用状況情報を取得しても良い。
【０２１０】
（変形例）
以下に、図２６乃至図２８を参照し、第一及び第二の実施形態の変形例について説明する。以下の説明する変形例では、電子機器群３０にプロジェクタ、電子黒板、テレビ会議に用いられる通信端末が含まれており、これらにウィジェットが表示される例を示す。
【０２１１】
図２６は、電子機器がプロジェクタの場合の表示例を示す図である。図２６（Ａ）は、使用状況情報のステータスが良好である場合を示す図である。図２６（Ａ）では、プロジェクタ４００による投影領域４１０において、中央より右側下方にウィジェット４１１が表示されている。図２６（Ｂ）は、使用状況情報のステータスが警告の場合を示す図である。図２６（Ｂ）では、プロジェクタ４００による投影領域４１０の中央部分に大きくウィジェット４１２が表示されている。
【０２１２】
図２６の例では、電力監視サーバ２００は、プロジェクタ４００から使用状況情報の取得要求を受けると、機器管理データベース２１０において、プロジェクタ４００と対応する使用状況テーブルを参照し、プロジェクタ４００と対応する使用状況情報を抽出する。そして、電力監視サーバ２００は、抽出した使用状況情報をプロジェクタ４００へ送信する。
【０２１３】
プロジェクタ４００は、受信した使用状況情報に応じて、図２６（Ａ）、（Ｂ）に示すようにウィジェットの表示を行う。使用状況情報は、電力の使用状況を示すステータスを含む。したがって、図２６の例では、プロジェクタ４００がウィジェット４１２を表示させることで、プロジェクタ４００のユーザに電力の使用状況を把握させることができる。
【０２１４】
プロジェクタ４００は、例えば、プロジェクタ４００に対する操作信号が入力された際に、投影画面に所定時間ウィジェットを表示させても良い。
【０２１５】
プロジェクタ４００は、例えばスライドショーの再生指示を受け付けた場合に、最初に表示される画像にウィジェットを重畳させても良い。また、プロジェクタ４００は、例えばスライドショーの再生を停止する停止指示を受け付けた場合に、ウィジェットを表示させても良い。
【０２１６】
すなわち、プロジェクタ４００は、受け付けた指示（信号）が切り替わる際に、ウィジェットを表示させても良い。また、プロジェクタ４００は、例えばウィジェットを数秒間表示させたのちに、ウィジェットの表示を終了させても良い。また、プロジェクタ４００では、例えば電源がオンの状態で、且つ表示させる画像データの入力を受け付けていないとき、ウィジェットを表示させても良い。
【０２１７】
図２７は、電子機器が電子黒板の場合の表示例を示す図である。図２７（Ａ）は、使用状況情報のステータスが良好である場合を示す図である。図２７（Ａ）では、電子黒板５００の表示領域５１０において、中央より右側下方にウィジェット５１２が表示されている。図２７（Ｂ）は、使用状況情報のステータスが警告の場合を示す図である。図２７（Ｂ）では、電子黒板５００の投影領域５１０の中央部分に大きくウィジェット５１３が表示されている。
【０２１８】
図２７に示す電子黒板５００は、電子黒板５００の表示に関する操作を受け付ける操作部５１２を有しており、操作部５１２の操作に応じて様々な処理が実行される。
【０２１９】
電力監視サーバ２００は、電子黒板５００と対応する使用状況テーブルを参照し、電子黒板５００と対応する使用状況情報を抽出し、電子黒板５００へ送信する。また、電力監視サーバ２００は、表示管理データベース２２０において、電子黒板５００の操作部５１２の操作により選択された処理と対応する表示制御テーブルを選択し、電子黒板５００に送信する。
【０２２０】
電子黒板５００では、使用状況情報に含まれるステータスと、表示制御テーブルとに基づき、ステータスに応じたウィジェットを表示させる。したがって、図２７の例では、電子黒板５００のユーザに電力の使用状況を把握させることができる。
【０２２１】
図２８は、電子機器がテレビ会議システムにおける通信端末の場合の表示例を示す図である。
【０２２２】
図２８に示す通信端末６００は、撮像機能を有しており、テレビ会議システムに含まれる複数の通信端末のうちの１つである。通信端末６００は、撮像された撮像データを、ネットワークを介して他の通信端末へ送信する。他の通信端末とは、通信端末６００が設置された拠点とは別の拠点に設置された通信端末である。
【０２２３】
また、通信端末６００は、他の通信端末から受信した撮像データと、通信端末６００が撮像した撮像データとを表示装置６１０に表示させる。したがって、表示装置６１０には、テレビ会議システムに含まれる通信端末のそれぞれが撮像した撮像データが表示される。
【０２２４】
図２８の例では、通信端末６００が設置された拠点を拠点Ａとし、通信端末６００が撮像した撮像データを表示装置６１０の領域６１１に表示させる。また、図２８の例では、拠点Ｂに設置された通信端末が撮像した撮像データを表示装置６１０の領域６１３に表示させ、拠点Ｃに設置された通信端末が撮像した撮像データを表示装置６１０の領域６１５に表示させる。また、図２８の例では、拠点Ｄに設置された通信端末が撮像した撮像データを表示装置６１０の領域６１７に表示させる。
【０２２５】
ここで通信端末６００は、電力監視サーバ２００から、通信端末６００と対応した使用状況情報を取得し、使用状況情報に応じたウィジェットを撮像データに重畳して表示させる。図２８では、通信端末６００の撮像データが表示される領域６１１に、ウィジェット６１２が表示される。尚、図２８の例では、領域６１１に撮像データが表示されていない場合には、ウィジェット６１２のみを表示させても良い。通信端末６００は、例えば電源がオンされたとき、使用状況情報に基づくウィジェット６１２を領域６１１に表示させ、撮像機能が有効とされたとき、領域６１１に表示させる撮像データにウィジェット６１２を重畳させても良い。このとき、通信端末６００は、撮像データにウィジェット６１２を重畳した画像データを拠点Ｂ、Ｃ、Ｄのそれぞれに設置された通信端末へ送信する。
【０２２６】
図２８の例では、拠点Ｂ、Ｃ、Ｄに設置された通信端末においても、通信端末６００と同様にウィジェットを表示させる機能を有するものとした。よって、通信端末６００は、他の通信端末から、他の通信端末において撮像された撮像データと、撮像データに重畳されたウィジェットとを含む画像データを受信し、表示装置６１０へ表示させる。
【０２２７】
この場合、表示装置６１０の領域６１３には、拠点Ｂにおける電力の使用状況を示すウィジェット６１４が撮像データに重畳されて表示される。また、領域６１５には、拠点Ｃにおける電力の使用状況を示すウィジェット６１６が撮像データに重畳されて表示される。領域６１７には、拠点Ｄにおける電力の使用状況を示すウィジェット６１８が撮像データに重畳されて表示される。
【０２２８】
よって、表示装置６１０には、各拠点の電力の使用状況が表示されることになり、テレビ会議システムを用いて会議に参加するユーザに対し、各拠点における電力の使用状況を把握させることができる。
【０２２９】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０２３０】
１００  電力表示システム
２００  電力監視サーバ
２１０  機器管理データベース
２１１  機器管理テーブル
２１２  使用状況テーブル
２２０  表示管理データベース
２２１  表示制御テーブル
２３０  電力監視プログラム
２４０  電力監視処理部
２４１  消費電力集計部  
２４２  使用率算出部
２４３  使用状況抽出部
２４４  テーブル選択部
３００  画像処理装置
３１０  表示制御プログラム
３２０  表示制御処理部
３２１  入力受付部
３２２  使用状況情報取得部
３２３  機能判別部
３３４  表示制御テーブル取得部
４００  プロジェクタ
５００  電子黒板
６００  通信端末
【先行技術文献】
【特許文献】
【０２３１】
【特許文献１】特開２０１３−９９００４号公報
【図１】
2016051239.tif 000003
【図２】
2016051239.tif 000004
【図３】
2016051239.tif 000005
【図４】
2016051239.tif 000006
【図５】
2016051239.tif 000007
【図６】
2016051239.tif 000008
【図７】
2016051239.tif 000009
【図８】
2016051239.tif 000010
【図９】
2016051239.tif 000011
【図１０】
2016051239.tif 000012
【図１１】
2016051239.tif 000013
【図１２】
2016051239.tif 000014
【図１３】
2016051239.tif 000015
【図１４】
2016051239.tif 000016
【図１５】
2016051239.tif 000017
【図１６】
2016051239.tif 000018
【図１７】
2016051239.tif 000019
【図１８】
2016051239.tif 000020
【図１９】
2016051239.tif 000021
【図２０】
2016051239.tif 000022
【図２１】
2016051239.tif 000023
【図２２】
2016051239.tif 000024
【図２３】
2016051239.tif 000025
【図２４】
2016051239.tif 000026
【図２５】
2016051239.tif 000027
【図２６】
2016051239.tif 000028
【図２７】
2016051239.tif 000029
【図２８】
2016051239.tif 000030